(57)【要約】      （修正有）【課題】外部装置の状態に応じて、当該外部装置から出力される信号の周波数振幅特性を柔軟に調整することができる振幅等化器を提供する。【解決手段】振幅等化器１は、外部装置としての周波数変換装置に接続され、周波数変換装置から出力された出力信号の振幅の周波数特性を調整する振幅等化器１であって、出力信号の少なくとも一部の周波数成分が含まれる出力周波数領域における、出力信号の振幅の周波数特性である周波数振幅特性を示す特性情報を取得する取得部と、周波数変換装置から入力された出力信号の振幅を変換する振幅変換部１０と、特性情報に基づいて、出力周波数領域において、振幅変換部１０から出力される信号の振幅の変動幅が、出力信号の振幅の変動幅よりも小さくなるように、振幅変換部１０における利得の周波数特性である周波数利得特性を制御する特性制御部とを備える。【選択図】図２
2016167666.tif 000002
【特許請求の範囲】
【請求項１】
外部装置に接続され、前記外部装置から出力された出力信号の振幅の周波数特性を調整する振幅等化器であって、
前記出力信号の少なくとも一部の周波数成分が含まれる出力周波数領域における、前記出力信号の振幅の周波数特性である周波数振幅特性を示す特性情報を取得する取得部と、
前記外部装置から入力された前記出力信号の振幅を変換する振幅変換部と、
前記特性情報に基づいて、前記出力周波数領域において、前記振幅変換部から出力される信号の振幅の変動幅が、前記出力信号の振幅の変動幅よりも小さくなるように、前記振幅変換部における利得の周波数特性である周波数利得特性を制御する特性制御部と、
を備える振幅等化器。
【請求項２】
前記特性制御部は、前記特性情報が示す前記出力信号の周波数振幅特性のパターンに基づいて前記振幅変換部における前記周波数利得特性を制御する、
請求項１に記載の振幅等化器。
【請求項３】
前記振幅変換部は、前記出力周波数領域における前記周波数利得特性の傾きのパターンに影響を与える可変容量素子を有し、
前記特性制御部は、前記特性情報が示す前記外部装置の前記周波数振幅特性の傾きのパターンに基づいて、前記可変容量素子の容量値を制御する、
請求項１又は２に記載の振幅等化器。
【請求項４】
前記振幅変換部は、前記利得を調整する可変抵抗を有し、
前記特性制御部は、前記特性情報が示す、前記出力周波数領域における前記出力信号の振幅の変動量に基づいて、前記可変抵抗の抵抗値を制御する、
請求項１から３のいずれか１項に記載の振幅等化器。
【請求項５】
前記外部装置は、所定の入力周波数領域の周波数成分を含む入力信号を前記出力周波数領域の周波数成分を含む前記出力信号に変換する周波数変換装置であり、
前記振幅等化器は、
前記周波数変換装置に、所定の振幅レベルで周波数が変化する前記入力信号を入力し、前記周波数変換装置から出力された前記出力信号の各周波数の振幅レベルを測定する測定部をさらに備え、
前記取得部は、前記測定部が測定した前記周波数変換装置から出力される前記出力信号の各周波数の振幅レベルに基づいて、前記特性情報を取得する、
請求項１から４のいずれか１項に記載の振幅等化器。
【請求項６】
前記外部装置の仕様情報と、前記特性情報とを関連付けて記憶する記憶部をさらに備え、
前記取得部は、前記仕様情報を取得し、当該仕様情報に関連付けて前記記憶部に記憶されている前記特性情報を取得する、
請求項１から４のいずれか１項に記載の振幅等化器。
【請求項７】
前記外部装置の仕様情報は、前記外部装置に入力する入力信号に対応する周波数と、前記外部装置から出力される出力信号に対応する周波数とを関連付けた情報である、
請求項６に記載の振幅等化器。
【請求項８】
第１周波数領域の周波数成分を含む入力信号を、前記第１周波数領域と異なる第２周波数領域の周波数成分を含む出力信号に変換する周波数変換装置であって、
前記入力信号の周波数を変換して前記出力信号を出力する周波数変換回路と、
前記第２周波数領域における、前記出力信号の振幅の周波数特性である周波数振幅特性を示す特性情報を取得する取得部と、
前記出力信号の振幅を変換する振幅変換部と、
前記特性情報に基づいて、前記第２周波数領域において、前記振幅変換部から出力される信号の振幅の変動幅が、前記出力信号の振幅の変動幅よりも小さくなるように、前記振幅変換部における利得の周波数特性である周波数利得特性を制御する特性制御部と、
を備える周波数変換装置。
【発明の詳細な説明】
【技術分野】
【０００１】
本発明は、振幅等化器及び周波数変換装置に関する。
【背景技術】
【０００２】
周波数変換装置においては、当該装置の入出力間で周波数振幅特性が平坦であることが望ましい。しかしながら、一般的な周波数変換装置は、バンドパスフィルタが多段接続されており、バンドパスフィルタの通過領域内の周波数振幅特性が平坦ではないため、周波数変換装置の出力信号の周波数振幅特性が歪んでしまう。このため、周波数変換装置の周波数振幅特性を平坦にするために、周波数変換装置の後段に、周波数変換装置から出力される信号の振幅を調整する振幅等化器が用いられている。例えば、図６に示すように、抵抗器回路１０１と、リアクタンス回路１０２とをコンデンサ１０３で結合し、可変抵抗１０４によりリアクタンス回路１０２における回路インピーダンスを可変にすることで、周波数振幅特性の歪みを補正する振幅等化器１００が提案されている（例えば、特許文献１参照）。
【先行技術文献】
【特許文献】
【０００３】
【特許文献１】特開２００５−２１８０４１号公報
【発明の概要】
【発明が解決しようとする課題】
【０００４】
ところで、周波数変換装置の特性は、部品の個体差によってばらつきが生じるため、同一製品の複数の周波数変換装置の間でも特性に違いが生じる。このため、周波数変換装置の出荷時には、それぞれの周波数変換装置に対して振幅等化器を接続し、個別に周波数振幅特性の歪みを補正する必要がある。これに対し、従来の振幅等化器は、手作業により回路インピーダンスを調整するものであるため、作業が煩雑であるという問題があった。
【０００５】
また、周波数変換装置は、時間の経過に応じて特性が変化するという問題がある。これに対して、従来の振幅等化器は出荷時に調整するものであるため、出荷後の特性の変化によって発生する周波数振幅特性の歪みを補正することができないという問題があった。
【０００６】
そこで、本発明はこれらの点に鑑みてなされたものであり、外部装置の状態に応じて、当該外部装置から出力される信号の周波数振幅特性を柔軟に調整することができる振幅等化器を提供することを目的とする。また、本発明は、自身が出力する信号の周波数振幅特性を柔軟に調整することができる周波数変換装置を提供することを目的とする。
【課題を解決するための手段】
【０００７】
本発明の第１の態様に係る振幅等化器は、外部装置に接続され、前記外部装置から出力された出力信号の振幅の周波数特性を調整する振幅等化器であって、前記出力信号の少なくとも一部の周波数成分が含まれる出力周波数領域における、前記出力信号の振幅の周波数特性である周波数振幅特性を示す特性情報を取得する取得部と、前記外部装置から入力された前記出力信号の振幅を変換する振幅変換部と、前記特性情報に基づいて、前記出力周波数領域において、前記振幅変換部から出力される信号の振幅の変動幅が、前記出力信号の振幅の変動幅よりも小さくなるように、前記振幅変換部における利得の周波数特性である周波数利得特性を制御する特性制御部と、を備える。
【０００８】
前記特性制御部は、前記特性情報が示す前記出力信号の周波数振幅特性のパターンに基づいて前記振幅変換部における前記周波数利得特性を制御してもよい。
【０００９】
前記振幅変換部は、前記出力周波数領域における前記周波数利得特性の傾きのパターンに影響を与える可変容量素子を有し、前記特性制御部は、前記特性情報が示す前記外部装置の前記周波数振幅特性の傾きのパターンに基づいて、前記可変容量素子の容量値を制御してもよい。
【００１０】
前記振幅変換部は、前記利得を調整する可変抵抗を有し、前記特性制御部は、前記特性情報が示す、前記出力周波数領域における前記出力信号の振幅の変動量に基づいて、前記可変抵抗の抵抗値を制御してもよい。
【００１１】
前記外部装置は、所定の入力周波数領域の周波数成分を含む入力信号を前記出力周波数領域の周波数成分を含む前記出力信号に変換する周波数変換装置であり、前記振幅等化器は、前記周波数変換装置に、所定の振幅レベルで周波数が変化する前記入力信号を入力し、前記周波数変換装置から出力された前記出力信号の各周波数の振幅レベルを測定する測定部をさらに備え、前記取得部は、前記測定部が測定した前記周波数変換装置から出力される前記出力信号の各周波数の振幅レベルに基づいて、前記特性情報を取得してもよい。
【００１２】
前記振幅等化器は、前記外部装置の仕様情報と、前記特性情報とを関連付けて記憶する記憶部をさらに備え、前記取得部は、前記仕様情報を取得し、当該仕様情報に関連付けて前記記憶部に記憶されている前記特性情報を取得してもよい。
前記外部装置の仕様情報は、前記外部装置に入力する入力信号に対応する周波数と、前記外部装置から出力される出力信号に対応する周波数とを関連付けた情報であってもよい。
【００１３】
本発明の第２の態様に係る周波数変換装置は、第１周波数領域の周波数成分を含む入力信号を、前記第１周波数領域と異なる第２周波数領域の周波数成分を含む出力信号に変換する周波数変換装置であって、前記入力信号の周波数を変換して前記出力信号を出力する周波数変換回路と、前記第２周波数領域における、前記出力信号の振幅の周波数特性である周波数振幅特性を示す特性情報を取得する取得部と、前記出力信号の振幅を変換する振幅変換部と、前記特性情報に基づいて、前記第２周波数領域において、前記振幅変換部から出力される信号の振幅の変動幅が、前記出力信号の振幅の変動幅よりも小さくなるように、前記振幅変換部における利得の周波数特性である周波数利得特性を制御する特性制御部とを備える。
【発明の効果】
【００１４】
本発明によれば、外部装置の状態に応じて、当該外部装置の周波数振幅特性を柔軟に調整することができるという効果を奏する。また、本発明によれば、周波数変換装置は、自身の周波数振幅特性を柔軟に調整することができるという効果を奏する。
【図面の簡単な説明】
【００１５】
【図１】第１の実施形態に係る振幅等化器の概要を説明する図である。
【図２】第１の実施形態に係る振幅等化器の構成を示す図である。
【図３Ａ】可変コンデンサの容量値を第１の値として可変抵抗の抵抗値を変化させたときの振幅変換部の周波数利得特性を示す図である。
【図３Ｂ】可変コンデンサの容量値を第２の値として可変抵抗の抵抗値を変化させたときの振幅変換部の周波数利得特性を示す図である。
【図３Ｃ】可変コンデンサの容量値を第３の値として可変抵抗の抵抗値を変化させたときの振幅変換部の周波数利得特性を示す図である。
【図４】第１の実施形態に係る制御部の構成を示す図である。
【図５】第３の実施形態に係る周波数変換装置の構成を示す図である。
【図６】従来の振幅等化器の構成を示す図である。
【発明を実施するための形態】
【００１６】
＜第１の実施形態＞
図１は、第１の実施形態に係る振幅等化器１の概要を説明する図である。
振幅等化器１の前段には、外部装置として、周波数変換装置２が接続されている。周波数変換装置２は、第１周波数領域の周波数成分を含む入力信号を、第１周波数領域と異なる第２周波数領域（出力周波数領域）の周波数成分を含む出力信号に変換して出力する周波数変換回路を備える。
【００１７】
ところで、この周波数変換回路は、複数のバンドパスフィルタを備える。これらの複数のバンドパスフィルタは、多段接続されている。ここで、バンドパスフィルタは、利得の周波数特性である周波数利得特性が、通過領域内において平坦ではない。このため、第１周波数領域において振幅が一定の入力信号を周波数変換装置２に対して入力しても、周波数変換装置２から出力される出力信号の振幅が変動してしまう。すなわち、出力周波数領域における出力信号の周波数振幅特性は歪んでしまう。
【００１８】
これに対して、本実施形態の振幅等化器１は、周波数変換装置２から出力される出力信号の振幅を変換することにより、当該出力信号の周波数振幅特性の歪みを補正した補正出力信号を出力する。
【００１９】
図２は、第１の実施形態に係る振幅等化器１の構成を示す図である。
振幅等化器１は、振幅変換部１０と、記憶部１５と、制御部１６とを備える。
【００２０】
振幅変換部１０は、入力端子Ｓｉｎと、出力端子Ｓｏｕｔとの間に設けられており、周波数変換装置２から入力された出力信号の振幅を変換する。具体的には、振幅変換部１０は、減衰器１１と、コンデンサ１２と、フィルタ回路１３と、可変抵抗１４とを備える。
【００２１】
減衰器１１は、例えば、抵抗１１１と、抵抗１１２と、抵抗１１３とから構成されるπ型減衰器であり、入力された信号を減衰させる。なお、減衰器１１は、π型減衰器に限らず、Ｔ型減衰器であってもよい。
コンデンサ１２は、減衰器１１と、フィルタ回路１３との間に接続されており、減衰器１１と、フィルタ回路１３とを電気的に結合させる。
【００２２】
フィルタ回路１３は、制御部１６の制御に応じて容量値を変化させることにより、振幅変換部１０における周波数利得特性の傾きのパターンを変化させる。具体的には、フィルタ回路１３は、インダクタ１３１と、コンデンサ１３２と、可変コンデンサ１３３とを備える。インダクタ１３１は、一端がコンデンサ１２に接続されており、他端が可変抵抗１４に接続されている。コンデンサ１３２は、一端が、インダクタ１３１とコンデンサ１２との間の接続点に接続されており、他端がグランドに接続されている。
【００２３】
可変コンデンサ１３３は、一端が、インダクタ１３１と可変抵抗１４との間の接続点に接続されており、他端がグランドに接続されている。可変コンデンサ１３３は、周波数変換装置２から出力される出力信号の出力周波数領域における、振幅変換部１０の周波数利得特性の傾きのパターンに影響を与える可変容量素子である。
【００２４】
可変コンデンサ１３３は、例えば、可変容量ダイオードである。可変コンデンサ１３３が可変容量ダイオードである場合、可変コンデンサ１３３は、制御部１６からカソードに入力される容量値制御信号の電圧値に応じて容量値を変化させる。このように、可変コンデンサ１３３は、制御部１６の制御によって容量値を変化させることにより、振幅変換部１０の周波数利得特性の傾きのパターンを変化させる。
【００２５】
図３は、可変コンデンサ１３３の容量値及び可変抵抗１４の抵抗値を変化させたときの振幅変換部１０の周波数利得特性を示す図である。具体的には、図３Ａは、可変コンデンサ１３３の容量値を第１の値（例えば、６２ｐＦ）として可変抵抗１４の抵抗値を変化させたときの振幅変換部１０の周波数利得特性を示す図である。図３Ｂは、可変コンデンサ１３３の容量値を第１の値よりも小さい第２の値（例えば、４７ｐＦ）として可変抵抗１４の抵抗値を変化させたときの振幅変換部１０の周波数利得特性を示す図である。図３Ｃは、可変コンデンサ１３３の容量値を第２の値よりも小さい第３の値（例えば、３７ｐＦ）として可変抵抗１４の抵抗値を変化させたときの振幅変換部１０の周波数利得特性を示す図である。また、図３Ａ〜図３Ｃにおいて、実線は抵抗値が５０Ω、破線は抵抗値が１５０Ω、点線は抵抗値が２５０Ω、一点鎖線は抵抗が３５０Ω、二点鎖線は抵抗が５００Ωのときの周波数利得特性を示している。
【００２６】
可変コンデンサ１３３の容量値が第１の値である場合には、周波数利得特性の傾きのパターンは、図３Ａに示されるように正の一次傾斜を示している。また、可変コンデンサ１３３の容量値が第２の値である場合には、周波数利得特性の傾きのパターンは、図３Ｂに示されるように、正の二次傾斜を示している。また、可変コンデンサ１３３の容量値が第３の値である場合には、周波数利得特性の傾きのパターンは、負の一次傾斜を示している。したがって、可変コンデンサ１３３の容量値を変化させることにより、図３Ａ〜図３Ｃに示されるように、振幅変換部１０の周波数利得特性の傾きのパターンが変化することが確認できる。
【００２７】
なお、可変コンデンサ１３３は、可変容量ダイオードであることとしたが、これに限らない。例えば、可変コンデンサ１３３は、複数のコンデンサと、複数のコンデンサの接続状態を切り替えるスイッチとを有する素子であってもよい。
【００２８】
可変抵抗１４は、一端がインダクタ１３１に接続されており、他端がグランドに接続されている。可変抵抗１４は、周波数変換装置２から出力される出力信号の出力周波数領域における、振幅変換部１０の利得に影響を与える。可変抵抗１４は、例えば、複数の抵抗と、複数の抵抗の接続状態を切り替えるスイッチとを有するデジタルポテンショメータである。可変抵抗１４は、制御部１６から、可変抵抗１４の抵抗値を制御する抵抗値制御信号が入力されると、複数の抵抗のうち少なくともいずれかを選択することによって、自身の抵抗値を、抵抗値制御信号に対応する抵抗値に設定する。これにより、可変抵抗１４は、振幅変換部１０の利得を変化させる。
【００２９】
図３Ａから図３Ｃに示されるように、可変抵抗が大きい場合の周波数利得特性（例えば、二点鎖線で示す抵抗値５００Ωの場合の周波数利得特性）は、可変抵抗が小さい場合の周波数利得特性（例えば、実線で示す抵抗値５０Ωの場合の周波数利得特性）に比べて、周波数の変化量に対する利得の変化量の割合が大きくなることが確認できる。
【００３０】
なお、可変抵抗１４は、デジタルポテンショメータであることとしたが、これに限らない。例えば、振幅変換部１０は、可変抵抗１４としてＰＩＮダイオードを有してもよい。この場合、制御部１６は、抵抗値制御信号をＰＩＮダイオードのアノードに入力することにより、ＰＩＮダイオードの抵抗値を変化させてもよい。
【００３１】
記憶部１５は、例えば、ＲＡＭやＲＯＭによって構成されており、振幅変換部１０の周波数利得特性と、可変コンデンサ１３３の容量値と、可変抵抗１４の抵抗値との関係を示す制御用情報を記憶する。
【００３２】
制御部１６は、周波数変換装置２の出力信号の周波数振幅特性を示す特性情報を取得し、当該特性情報に基づいて、振幅変換部１０から出力される信号の振幅の変動幅が、周波数変換装置２の出力信号の振幅の変動幅よりも小さくなるように、振幅変換部１０における周波数利得特性を制御する。以下に、制御部１６の詳細を説明する。
【００３３】
図４は、第１の実施形態に係る制御部１６の構成を示す図である。
制御部１６は、測定部１６１と、取得部１６２と、特性制御部１６３とを備える。
制御部１６は、例えば、振幅等化器１に設けられた外部端子（不図示）から、測定を指示する信号を受信すると、測定部１６１、取得部１６２、及び特性制御部１６３を動作させる。
測定部１６１は、周波数変換装置２に、所定の振幅レベルで周波数が変化する入力信号を入力し、周波数変換装置２から出力された出力信号の各周波数の振幅レベルを測定する。
【００３４】
取得部１６２は、周波数変換装置２から出力された出力信号の出力周波数領域における周波数振幅特性を示す特性情報を取得する。具体的には、取得部１６２は、測定部１６１が測定した周波数変換装置２から出力される出力信号の各周波数の振幅レベルに基づいて特性情報を取得する。ここで、特性情報は、例えば、複数の周波数のそれぞれに対して、振幅の値を関連付けた情報である。取得部１６２は、取得した特性情報を記憶部１５に記憶させる。
【００３５】
特性制御部１６３は、取得部１６２が取得した特性情報に基づいて、周波数変換装置２から出力された出力信号の出力周波数領域において、振幅変換部１０から出力される信号の振幅の変動幅が、周波数変換装置２から出力された出力信号の振幅の変動幅よりも小さくなるように、振幅変換部１０における周波数利得特性を制御する。
【００３６】
具体的には、特性制御部１６３は、特性情報が示す出力信号の周波数振幅特性のパターンに基づいて、振幅変換部１０における周波数利得特性を制御する。例えば、特性制御部１６３は、特性情報が示す周波数振幅特性のパターンが、正の一次傾斜を示すパターン、負の一次傾斜を示すパターン、及び負の二次傾斜を示すパターンのうち、どのパターンに該当するかを特定する。そして、特性制御部１６３は、特定した周波数振幅特性の傾きのパターンに基づいて、可変コンデンサ１３３の容量値を制御する。
【００３７】
具体的には、特性制御部１６３は、記憶部１５に記憶されている制御用情報を参照し、特定した周波数振幅特性の傾きのパターンと逆のパターンを有する周波数利得特性に関連付けられている可変コンデンサ１３３の容量値を特定する。
【００３８】
例えば、特性制御部１６３は、特定した周波数振幅特性の傾きのパターンが、正の一次傾斜を示すパターンである場合には、可変コンデンサ１３３の容量値を、負の一次傾斜の周波数利得特性に対応する第３の値（例えば、３７ｐＦ）に特定する。
【００３９】
また、特性制御部１６３は、特定した周波数振幅特性の傾きのパターンが、負の二次傾斜を示すパターンである場合には、可変コンデンサ１３３の容量値を、正の二次傾斜の周波数利得特性に対応する第２の値（例えば、４７ｐＦ）に特定する。
【００４０】
また、特性制御部１６３は、特定した周波数振幅特性の傾きのパターンが、負の一次傾斜を示すパターンである場合には、可変コンデンサ１３３の容量値を、正の一次傾斜の周波数利得特性に対応する第１の値（例えば、６２ｐＦ）に特定する。
【００４１】
続いて、特性制御部１６３は、特性情報が示す、出力周波数領域における出力信号の振幅の変動量に基づいて、可変抵抗１４の抵抗値を制御する。例えば、特性制御部１６３は、記憶部１５に記憶されている制御用情報において、特定した可変コンデンサ１３３の容量値に関連付けられている複数の抵抗値のそれぞれに関連付けられた周波数利得特性を参照する。そして、特性制御部１６３は、特性情報が示す出力周波数領域における出力信号の振幅の変動量を最も小さくすることができる周波数利得特性を特定し、当該周波数利得特性に対応する抵抗値を、可変抵抗１４の抵抗値として特定する。
【００４２】
続いて、特性制御部１６３は、可変コンデンサ１３３の容量値が、特定した容量値になるように制御するための容量値制御信号を可変コンデンサ１３３に入力するとともに、可変抵抗１４の抵抗値が、特定した抵抗値になるように制御するための抵抗値制御信号を可変抵抗１４に入力する。
【００４３】
可変コンデンサ１３３は、容量値制御信号が入力されると、自身の容量値を制御して振幅変換部１０の周波数利得特性の傾きのパターンを変化させる。また、可変抵抗１４は、抵抗値制御信号が入力されると、自身の抵抗値を制御して振幅変換部１０の利得を変化させる。これにより、振幅変換部１０から出力される信号の振幅の変動幅は、周波数変換装置２から出力される出力信号の振幅の変動幅よりも小さくなり、周波数変換装置２から出力される出力信号の周波数振幅特性の歪みが補正される。
【００４４】
［第１の実施形態の効果］
以上のとおり、第１の実施形態の振幅等化器１は、周波数変換装置２から出力される出力信号の周波数振幅特性を示す特性情報に基づいて、出力周波数領域において、振幅変換部１０から出力される信号の振幅の変動幅が、当該出力信号の振幅の変動幅よりも小さくなるように、振幅変換部１０における利得の周波数特性である周波数利得特性を制御する。これにより、振幅等化器１は、周波数変換装置２の出荷後に特性が変化した場合であっても、当該周波数変換装置２から出力される出力信号の周波数振幅特性を調整することができる。よって、振幅等化器１は、周波数変換装置２の状態に応じて、当該周波数変換装置２から出力される信号の周波数振幅特性を柔軟に調整して、振幅等化器１が出力する信号の振幅の変動幅が小さくなるようにすることができる。
【００４５】
また、特性制御部１６３は、特性情報が示す周波数変換装置２の出力信号の周波数振幅特性のパターンに基づいて振幅変換部１０における周波数利得特性を制御する。このようにすることで、振幅変換部１０は、周波数変換装置２から出力される出力信号の周波数振幅特性のパターンに対応して、当該出力信号の振幅を変換することができる。
【００４６】
また、特性制御部１６３は、周波数変換装置２の出力信号の周波数振幅特性の傾きのパターンに基づいて可変コンデンサ１３３の容量値を制御することにより、振幅変換部１０における周波数利得特性のパターンを適切なパターンに切り替えることができる。
【００４７】
また、特性制御部１６３は、周波数変換装置２の出力信号の出力周波数領域における振幅の変動量に基づいて可変抵抗１４の抵抗値を制御することにより、振幅変換部１０における利得を適切な値に制御することができる。
【００４８】
また、振幅等化器１は、周波数変換装置２に、所定の振幅レベルで周波数が変化する入力信号を入力し、周波数変換装置２から出力された出力信号の各周波数の振幅レベルを測定し、測定した各周波数の振幅レベルに基づいて、特性情報を取得する。このようにすることで、周波数変換装置２の部品の個体差によって生じるばらつきに対応した特性情報に基づいて、当該周波数変換装置２の出力信号の周波数振幅特性を、柔軟に調整することができる。
【００４９】
＜第２の実施形態＞
［仕様情報に基づいて特性情報を取得する］
続いて、第２の実施形態について説明する。第１の実施形態では、振幅等化器１は、測定部１６１の測定結果に基づいて特性情報を取得したが、周波数変換装置２の入力信号の周波数領域や、出力信号の周波数領域等の仕様によって当該特性情報を特定できる場合がある。そこで、第２の実施形態の振幅等化器１は、周波数変換装置２の仕様を示す仕様情報に基づいて特性情報を取得する。以下に、第１の実施形態と異なる部分について説明を行う。第１の実施形態と同じ部分については適宜説明を省略する。
【００５０】
第２の実施形態において、記憶部１５は、複数種類の周波数変換装置２のそれぞれの仕様を示す仕様情報と、当該周波数変換装置２の出力信号の、出力周波数領域における周波数振幅特性を示す特性情報とを関連付けて記憶する。ここで、仕様情報は、周波数変換装置２に入力する入力信号に対応する周波数と、周波数変換装置２から出力される出力信号に対応する周波数とを関連付けた情報である。
【００５１】
取得部１６２は、例えば、振幅等化器１に設けられている外部端子（不図示）から仕様情報を示す信号を受信することで仕様情報を取得する。取得部１６２は、仕様情報を取得すると、当該仕様情報に関連付けて記憶部１５に記憶されている特性情報を取得する。
【００５２】
特性制御部１６３は、取得部１６２が取得した特性情報に基づいて、周波数変換装置２から出力された出力信号の出力周波数領域において、振幅変換部１０から出力される信号の振幅の変動幅が、当該出力信号の振幅の変動幅よりも小さくなるように、振幅変換部１０における周波数利得特性を制御する。
【００５３】
［第２の実施形態の効果］
以上のとおり、第２の実施形態の振幅等化器１は、仕様情報を取得し、当該仕様情報に関連付けて特性情報を取得するので、複数種類の周波数変換装置２のそれぞれに対応して、周波数振幅特性を柔軟に調整することができる。
【００５４】
＜第３の実施形態＞
［周波数変換装置２が振幅等化器１を内蔵する］
続いて、第３の実施形態について説明する。第３の実施形態では、周波数変換装置２が、振幅等化器１を内蔵する点で第１の実施形態と異なる。以下に、第１の実施形態と異なる部分について説明を行う。第１の実施形態と同じ部分については適宜説明を省略する。
【００５５】
図５は、第３の実施形態に係る周波数変換装置２の構成を示す図である。図５に示すように、第３の実施形態に係る周波数変換装置２は、振幅変換部１０と、記憶部１５と、制御部１６と、周波数変換回路２１とを備える。
【００５６】
周波数変換回路２１は、入力端子Ｓｉｎから入力される、第１周波数領域の周波数成分を含む入力信号の周波数を変換して、第１周波数領域と異なる第２周波数領域の周波数成分を含む出力信号を出力する。周波数変換回路２１は、第１実施形態の周波数変換回路と同様に、複数のバンドパスフィルタを備える。これらの複数のバンドパスフィルタは、多段接続されている。
振幅変換部１０は、周波数変換回路２１から出力された出力信号の振幅を変換し、変換後の信号を出力端子Ｓｏｕｔに出力する。
振幅変換部１０及び記憶部１５は、第１の実施形態の振幅変換部１０及び記憶部１５と同じであるので、詳細な説明を省略する。
【００５７】
制御部１６は、第１の実施形態と同様に、測定部１６１、取得部１６２及び特性制御部１６３を備える。
測定部１６１は、周波数変換回路２１に、所定の振幅レベルで周波数が変化する入力信号を入力し、周波数変換回路２１から出力された出力信号の各周波数の振幅レベルを測定する。
【００５８】
取得部１６２は、測定部１６１が測定した周波数変換回路２１から出力される出力信号の各周波数の振幅レベルに基づいて、当該出力信号の第２周波数領域における周波数振幅特性を示す特性情報を取得する。
【００５９】
特性制御部１６３は、取得部１６２が取得した特性情報に基づいて、第２周波数領域において、振幅変換部１０から出力される信号の振幅の変動幅が、周波数変換回路２１から出力される出力信号の振幅の変動幅よりも小さくなるように、振幅変換部１０における周波数利得特性を制御する。特性制御部１６３は、第１の実施形態の特性制御部１６３と同じであるので詳細な説明を省略する。
【００６０】
［第３の実施形態の効果］
以上のとおり、第３の実施形態の周波数変換装置２は、周波数変換回路２１から出力される出力信号の振幅の変動幅よりも小さくなるように、振幅変換部１０における利得の周波数特性である周波数利得特性を制御するので、自身が出力する信号の周波数振幅特性を柔軟に調整して、出力する信号の振幅の変動幅が小さくなるようにすることができる。
【００６１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００６２】
例えば、上述の実施形態では、振幅等化器１の前段に接続される外部機器が周波数変換装置２である場合について説明したが、これに限らず、出力信号を出力するものであれば、他の外部機器であってもよい。
【００６３】
また、上述の実施形態では、振幅等化器１が減衰器１１を有する場合について説明したが、振幅等化器１が増幅器を有してもよい。この場合、制御部１６は、当該増幅器の増幅率を調整することにより、増幅器の周波数利得特性を制御する。
【符号の説明】
【００６４】
１・・・振幅等化器
１０・・・振幅変換部
１１・・・減衰器
１１１、１１２、１１３・・・抵抗
１２・・・コンデンサ
１３・・・フィルタ回路
１３１・・・インダクタ
１３２・・・コンデンサ
１３３・・・可変コンデンサ
１４・・・可変抵抗
１５・・・記憶部
１６・・・制御部
１６１・・・測定部
１６２・・・取得部
１６３・・・特性制御部
２・・・周波数変換装置
２１・・・周波数変換回路
【図１】
2016167666.tif 000003
【図２】
2016167666.tif 000004
【図３Ａ】
2016167666.tif 000005
【図３Ｂ】
2016167666.tif 000006
【図３Ｃ】
2016167666.tif 000007
【図４】
2016167666.tif 000008
【図５】
2016167666.tif 000009
【図６】
2016167666.tif 000010